(57)【要約】【課題】重量物や嵩張る荷物を少ない労力で、安全に運搬でき、しかも重量物などの荷物の大きさや、運搬経路などの運搬状況に適した形態を備えている荷物運搬具を提供することである。【解決手段】荷物を載置するための載置シート１２と、この載置シート１２の相対向する部位にそれぞれ取付けられた一対のショルダーベルト１３，１３と、このショルダーベルト１３，１３の離隔した両端の取付け部近傍にそれぞれ取付けられた一対の第１ハンドベルト１４，１４と、ショルダーベルト１３，１３から両側方に離隔した部位に取付けられた一対の第２ハンドベルト１５，１５とを備えた荷物運搬具である。【選択図】　　図１
2004107049.tif 000002
【特許請求の範囲】
【請求項１】
荷物を載置するための載置シートと、この載置シートの相対向する部位にそれぞれ取付けられた一対のショルダーベルトと、この一対のショルダーベルトのそれぞれに対応して前記載置シートに互いに離隔して取付けられた一対のハンドベルトとを備えたことを特徴とする荷物運搬具。
【請求項２】
前記一対のハンドベルトが、（１）ショルダーベルトの離隔した両端の取付け部近傍にそれぞれ取付けられた一対の第１ハンドベルトと、（２）ショルダーベルトから両側方に離隔した部位に取付けられた一対の第２ハンドベルトとからなる請求項１記載の荷物運搬具。
【請求項３】
前記載置シートには、この載置シート上に載置した荷物を覆うための被覆シートが着脱自在に取付けられている請求項１または２記載の荷物運搬具。
【請求項４】
荷物載置部および荷物被覆部を有する荷物運搬シートと、前記荷物載置部の相対向する部位にそれぞれ取付けられた一対のショルダーベルトと、この一対のショルダーベルトのそれぞれに対応して前記荷物載置部に互いに離隔して取付けられた一対のハンドベルトとを備えたことを特徴とする荷物運搬具。
【請求項５】
前記一対のハンドベルトが、（１）ショルダーベルトの離隔した両端の取付け部近傍にそれぞれ取付けられた一対の第１ハンドベルトと、（２）ショルダーベルトから両側方に離隔した部位に取付けられた一対の第２ハンドベルトとからなる請求項１記載の荷物運搬具。
【発明の詳細な説明】
【０００１】
【発明の属する技術分野】
本発明は、テレビ、エアコンの室外機などの重量物や家具などの嵩張る荷物を運搬するための荷物運搬具に関する。
【従来の技術】
【０００２】
近年、テレビの大型化に伴ってテレビの重量も増加傾向にあり、通常市販の大型テレビでは重量が５０ｋｇを超える場合もある。このような大型テレビを、例えば修理や引っ越しなどのために家庭から運搬車まで運ぶには人手に頼らざるを得ないのが実情である。しかし、重く嵩張る大型テレビを運ぶのは容易でなく、多くの労力が必要であり、しかも危険が伴うという問題があった。また、荷物は傷つけないように運搬しなければならない。
【０００３】
また、テレビ以外の重量物や、大きく嵩張る荷物を運搬する場合にも同様の問題があった。
【０００４】
【発明が解決しようとする課題】
本発明の目的は、テレビ、エアコンの室外機などの重量物や家具などの嵩張る荷物を少ない労力で、安全に運搬でき、しかも重量物などの荷物の大きさや、運搬経路などの運搬状況に適した形態を備えている荷物運搬具を提供することである。
【０００５】
【課題を解決するための手段】
本発明の荷物運搬具は、荷物を載置するための載置シートと、この載置シートの相対向する部位にそれぞれ取付けられた一対のショルダーベルトと、この一対のショルダーベルトのそれぞれに対応して前記載置シートに互いに離隔して取付けられた一対のハンドベルトとを備えたことを特徴とする。
【０００６】
このように構成された本発明の荷物運搬具によれば、床面に広げた載置シート上に荷物を載置した後、２名の作業者がショルダーベルトを肩に掛け、ついで一対のハンドベルトをそれぞれ両手で把持し、載置シートごと荷物を持ち上げ、その状態で荷物を運搬できるので、荷物が重量物であったり、嵩張るものであっても、少ない労力で、簡単にかつ安全に運搬することができる。
【０００７】
前記一対のハンドベルトは、（１）ショルダーベルトの離隔した両端の取付け部近傍にそれぞれ取付けられた一対の第１ハンドベルトと、（２）ショルダーベルトから両側方に離隔した部位に取付けられた一対の第２ハンドベルトとからなるのが好ましい。このように構成すると、ショルダーベルトを肩に掛けた作業員が前記一対の第１ハンドベルトを手に持って荷物を持ち上げた後、一対の第２ハンドベルトを手に持って運搬するようにする。
【０００８】
このようにすると、特に重量のある荷物を持ち上げやすくなり、運搬時には第２ハンドベルトを把持した両腕によって荷物が動くのを規制できるため、荷物を安定に運搬することができ、誤って荷物が載置シートから落ちるのを阻止することができる。また、第２ハンドベルトは、ショルダーベルトを肩に掛けた作業員以外の他の作業員が運搬を補助する場合には、当該補助作業員が手に持つ取っ手にもなる。
【０００９】
前記載置シートには、この載置シート上に載置した荷物を覆うための被覆シートが着脱自在に取付けられているのがよく、荷物が傷ついたりするのを防止できる。
【００１０】
本発明の他の荷物運搬具は、荷物載置部および荷物被覆部を有する荷物運搬シートと、前記荷物載置部の相対向する部位にそれぞれ取付けられた一対のショルダーベルトと、この一対のショルダーベルトのそれぞれに対応して前記載置シートに互いに離隔して取付けられた一対のハンドベルトとを備えたことを特徴とする。
この荷物運搬具における荷物運搬シートは、前記した載置シートと被覆シートとを一体化したものである。
【００１１】
【発明の実施の形態】
以下、本発明の荷物運搬具の一実施形態について図面を参照して詳細に説明する。図１は本発明の荷物運搬具を示す平面図であり、図２はその底面図である。
【００１２】
図１および図２に示すように、本実施形態の荷物運搬具は、荷物を載置するための方形の載置シート１２における相対する２辺１２ａ，１２ｂからショルダーベルト１３，１３がそれぞれ延設されている。各ショルダーベルト１３，１３には、弾力性を有するショルダーパット１３ｇ，１３ｇが装着される。
【００１３】
また、前記２辺１２ａ，１２ｂにおいて、ショルダーベルト１３，１３のそれぞれ離隔した両端の取付け部には第１ハンドベルト１４，１４がそれぞれ取付けられている。一方、他の２辺１２ｃ，１２ｄには、それぞれショルダーベルト１３の１つに対して一対の第２ハンドベルト１５，１５、従って全部で４つの第２ハンドベルト１５，・・・が取付けられている。
【００１４】
図２に示すように、ショルダーベルト１３は、帯状の２本のベルト材１３ａ，１３ｂにより形成されている。ベルト材１３ａ，１３ｂの一端にはバックル１３ｃ，１３ｃが、他端にはバックル１３ｃと連結するための穴部１３ｄ，１３ｄ，・・・がそれぞれ備えられている。ベルト材１３ａおよびベルト材１３ｂは、縫い付け部１３ｅ，１３ｅおよび縫い付け部１３ｆ，１３ｆにおいて載置シート１２とそれぞれ強固に縫い付けられて固定されている。また、これらの縫い付け部１３ｅと縫い付け部１３ｅとの間、および縫い付け部１３ｆと縫い付け部１３ｆとの間においてもベルト材の縁部分が載置シート１２と縫い付けられている。
【００１５】
図３は、バックル１３ｃおよび穴部１３ｄを示す拡大平面図である。同図に示すように、穴部１３ｄは、ステンレスなどの金属板１３２をリベット１３５，１３５によりベルト材１３ａあるいはベルト材１３ｂに取付け、中央に穴１３１を開けて形成したものである。この穴部１３ｄを有したベルト材の先端をバックル１３ｃの開口部１３４に挿入し、ついで穴１３１に支持棒１３３を入れ、さらにベルト材の先端を留め具１３６に挿入することによって、バックル１３ｃと穴部１３ｄとを連結する。穴部１３ｄに取付けられている金属板１３２がバックル１３ｃから穴部１３ｄが脱落するのを確実に防止している。
【００１６】
第１ハンドベルト１４，１４，・・・は、帯状の２本のベルト材により形成されている。これらのベルト材は、リベット１７ａ，１７ｂ，１７ｃ，１７ｄおよびリベット１８ａ，１８ｂ，１８ｃ，１８ｄにより載置シート１２にそれぞれ固定されている。リベット１７ａ，１７ｂ間、リベット１７ｃ，１７ｄ間、リベット１８ａ，１８ｂ間、およびリベット１８ｃ，１８ｄ間において、折り返したベルト材の折り返し部を２辺１２ａ，１２ｂからそれぞれ突出させることによって、第１ハンドベルト１４，１４，・・・が２辺１２ａ，１２ｂからそれぞれ延設されている。また、これらのベルト材は、リベット１７ａ，１７ｂ間、リベット１７ｃ，１７ｄ間、リベット１８ａ，１８ｂ間、およびリベット１８ｃ，１８ｄ間を除く部分において、載置シート１２と縫い付けられている。
【００１７】
第２ハンドベルト１５，１５，・・・は、第１ハンドベルト１４，１４，・・・を形成しているベルト材に対して略垂直に配置された帯状の２本のベルト材により形成されている。これらのベルト材の両端を屈曲させて折り返し、この折り返し部が２辺１２ｃ，１２ｄからそれぞれ突出するように配置し、折り返すことにより２重に重ねられたベルト材をリベット１９ａ，１９ｂおよびリベット１９ｃ，１９ｄにより載置シート１２にそれぞれ固定している。このようにして第２ハンドベルト１５，１５，・・・が２辺１２ｃ，１２ｄからそれぞれ延設されている。また、これらのベルト材は、リベット１９ａ，１９ｂ間、およびリベット１９ｃ，１９ｄ間において載置シート１２と縫い付けられている。
【００１８】
図２に示すように、載置シート１２の裏面の周縁には、後述する被覆シートを着脱自在に取付けるための取付け手段１６ａ，１６ｂ，１６ｃ，１６ｄ（例えば面ファスナー、具体的には「マジックテープ（登録商標）」など）の一方が取付けられている。
【００１９】
前記載置シート１２の材質としては、重量物を持ち上げ運搬するのに耐え得る強度を有したものであればよく、例えば織布、不織布、プラスチックシート、金属シート、金属網などが挙げられるが、柔軟性を有するシートがより好ましく、特にターポリンが好適に使用可能である。載置シート１２の大きさは、載置する重量物の大きさに応じて決定すればよい。また、載置シート１２の少なくとも荷物載置面に不織布など保護シートを縫い付け、あるいは貼り合わせておくのが好ましい。また、載置シート１２の底面は、ベルト材が露出した状態であるが、前記取付け手段１６ａ，１６ｂ，１６ｃ，１６ｄを除く底面をターポリンなどの保護シート（図示せず）で被覆しておくのが外観上および安全上のうえから望ましい。保護シートは、例えば周縁を縫い付けるなどによって載置シート１２の底面に取付ければよい。
【００２０】
ショルダーベルト１３、ハンドベルト１４，１５の材質としては、重量物を持ち上げ、運搬することによってかかる負荷に対して耐え得る強度を有したものであれば特に限定されず、織布、不織布などが使用できる。具体的には、例えばポリプロピレン繊維を用いたテープ（例えば（株）白井繊維工業社製のファッションテープなど）などを使用することができる。
【００２１】
また、ショルダーベルト１３およびハンドベルト１４，１５を載置シート１２に固定するためのリベットや縫製の位置、個数、範囲は特に限定されるものではない。なお、リベットは頭部が載置シート１２の表面に露出するため、これを隠蔽するためのシートを載置シート１２の表面の必要部位に縫い付けるなどしておくのが好ましい。
【００２２】
図４および図５は、載置シート１２の周縁に被覆シート２１，２２，２３，２４を取付けた状態を示している。これらの被覆シートは、前記した取付け手段１６ａ，１６ｂ，１６ｃ，１６ｄを利用して載置シート１２に着脱自在に取付けられる。例えば取付け手段１６ａ，１６ｂ，１６ｃ，１６ｄが前記した面ファスナーの一方である場合には、各被覆シートの端部に面ファスナーの他方を取付け、互いに止着できるようにすればよい。
【００２３】
被覆シートは、載置シートと同じ材質でつくることができるが、他の材質を用いてもよい。また、互いに対向する被覆シート２１と２２，２３と２４は、それらを重ね合わせた状態で互いに着脱自在に止着できるように、それぞれ取付け手段２１ａと２２ａ，２３ａと２４ａ（例えば面ファスナー、具体的には「マジックテープ（登録商標）」など）が取付けられている。
【００２４】
載置シート１２に被覆シート２１，２２，２３，２４を取付けた状態では、図５に示すように、ショルダーベルト１３およびハンドベルト１４，１５はいずれも被覆シート２１，２２，２３，２４の底面側に位置する。
【００２５】
被覆シート２３，２４の両端には、荷物の角を覆って保護するための角部保護シート２９，２９がそれぞれ取付けられている。これらの角部保護シート２９，・・・は、その一端が例えば前記面ファスナーなどにより被覆シート２３，２４に取付けられており、荷物を被覆シート２１，２２，２３，２４により梱包する際に、他端が例えば前記面ファスナーなどにより被覆シート２１，２２に止着される。
【００２６】
このような荷物運搬具は、例えば以下のようにして製造することができる。すなわち、まず、前記した材質のシートを所定の寸法に裁断して載置シート１２、被覆シート２１，２２，２３，２４、角部保護シート２９，・・・をそれぞれ作製する。これらのシートには必要に応じて荷物載置面および／または底面に保護シートが取付けられる。ついで、得られた載置シート１２の裏面に面ファスナーなどの取付け手段１６ａ，１６ｂ，１６ｃ，１６ｄを縫製などにより取付けた後、第２ハンドベルト１５，１５、第１ハンドベルト１４，１４、およびショルダーベルト１３，１３をこの順番でリベットや縫製により固定する。取付け手段が面ファスナーの場合には、被覆シート２１，２２，２３，２４の表面にも前記取付け手段１６ａ，１６ｂ，１６ｃ，１６ｄに対応する面ファスナーを縫製などにより取付け、さらに面ファスナーなどの取付け手段２１ａ，２２ａ，２３ａ，２４ａを縫製などにより取付ける。最後に、角部保護シート２９，・・・を面ファスナーなどの取付け手段により被覆シート２３，２４の所定の位置に取付ける。
【００２７】
図６（ａ）〜（ｃ）は、荷物運搬具によりテレビなどの重量物を梱包する手順を示す斜視図である。荷物運搬具は、例えば以下のようにして使用する。すなわち、まず、床などの平面上に荷物運搬具を十字状に広げ、載置シート１２の上に重量物３１を載置する（図６（ａ））。ついで、被覆シート２２および被覆シート２１をこの順番で重量物３１の上に被せて取付け手段２１ａと２２ａとを止着する（図６（ｂ））。次に、被覆シート２４および被覆シート２３をこの順番で重量物３１の上に被せて取付け手段２３ａと２４ａとを止着し、角部保護シート２９，・・・を被覆シート２１，２２に止着する（図６（ｃ））。これにより、重量物３１の側面、正面、背面および上面が被覆シート２１，２２，２３，２４により覆われるので、重量物３１が傷ついたり、載置シート１２からずれたり、落下したりするのを防止することができる。
【００２８】
次に、運搬方法について説明する。２人の作業員が、上記のようにして重量物３１を梱包した荷物運搬具のショルダーベルト１３，１３付近にそれぞれ立ち、体格などに合わせてショルダーベルト１３，１３の長さを調節する。ついで、このショルダーベルト１３，１３に片腕と頭を通し、ショルダーパット１３ｇ，１３ｇの位置を合わせてショルダーベルト１３，１３を肩に掛ける。ついで、腰を落とし、一対の第１ハンドベルト１４，１４を手で持って、２人の作業員のタイミングを合わせて荷物を持ち上げた後、一対の第２ハンドベルト１５，１５に持ち替えて目的の場所まで運搬する。このとき、作業員が第１ハンドベルト１４，１４を持ち、補助作業員が第２ハンドベルト１５，１５を手で持って運搬することもできる。荷物運搬具には、第２ハンドベルト１５が４つ取付けられているので、最大で４人の補助作業員が運搬の補助をすることができる。
【００２９】
なお、荷物の重量が軽い場合や荷物が小さい場合には、被覆シート２１，２２，２３，２４を取り外した状態（図１および図２に示す形態）で荷物を運搬してもよい。また、載置シート１２の形状は方形に限定されず、例えば円形、楕円形、多角形などであってもよい。
【００３０】
さらに、上記実施形態では、載置シート１２に被覆シート２１，２２，２３，２４が着脱自在に取付けられている形態について説明したが、荷物を載置する部分と荷物を被覆する部分とが一体に形成されたものであってもよい。
【００３１】
図７は、本発明の他の実施形態であって、荷物載置部と荷物被覆部とが一体に形成された荷物運搬具を示す平面図であり、図８はその底面図である。図７および図８に示すように、この荷物運搬具は、荷物載置部１２’および荷物被覆部２１’，２２’，２３’，２４’を有する荷物運搬シートと、荷物載置部１２’の相対向する部位にそれぞれ取付けられた一対のショルダーベルト１３，１３と、このショルダーベルト１３，１３の離隔した両端の取付け部近傍にそれぞれ取付けられた一対の第１ハンドベルト１４，１４と、ショルダーベルト１３，１３から両側方に離隔した部位に取付けられた一対の第２ハンドベルト１５，１５とを備えている。荷物運搬シートは、前記載置シート１２や被覆シート２１，２２，２３，２４と同じ材質でつくることができるが、他の材質を用いてもよい。また、この荷物運搬具では、前記と同様の方法により荷物を梱包し運搬することができる。他の部位については図４および図５と同じ符号を付して説明を省略する。
【００３２】
なお、以上の実施形態では、取付け手段として面ファスナーを例に挙げて説明したが、本発明で用いる取付け手段は、被覆シートが載置シートから取り外し自在であれば特に限定されるものではない。したがって、取付け手段としては、例えばボタン、ホック、チャックなどを用いることもできる。また、前記ショルダーベルト１３は、バックル１３ｃと穴部１３ｄとを連結するような形態に限定されず、例えばバックルおよび穴部を備えていない一体化されたショルダーベルトであってもよい。
【００３３】
また、本発明の荷物運搬具で運搬する荷物としては、テレビ、エアコンの室外機などの重量物や家具などの嵩張る荷物を例示することができるが、これらに限定されるものではない。
【００３４】
【発明の効果】
本発明の荷物運搬具によれば、床面に広げた載置シート上に荷物を載置した後、２名の作業者がショルダーベルトを肩に掛け、ついで一対のハンドベルトをそれぞれ両手で把持し、載置シートごと荷物を持ち上げ、その状態で荷物を運搬できるので、荷物が重量物であったり、嵩張るものであっても、少ない労力で、簡単にかつ安全に運搬することができるという効果がある。
【００３５】
また、前記一対のハンドベルトが、前記第１ハンドベルトと、前記第２ハンドベルトとからなるときは、特に重量のある荷物を持ち上げやすくなり、運搬時には第２ハンドベルトを把持した両腕によって荷物が動くのを規制できるため、荷物を安定に運搬することができ、誤って荷物が載置シートから落ちるのを阻止することができるという効果がある。
【００３６】
さらに、前記載置シートに被覆シートが着脱自在に取付けられているときは、荷物が傷ついたりするのを防止できるという効果がある。
【図面の簡単な説明】
【図１】本発明の一実施形態にかかる荷物運搬具を示す平面図である。
【図２】図１に示す荷物運搬具の底面図である。
【図３】荷物運搬具におけるバックルおよび穴部を示す拡大平面図である。
【図４】図１に示す荷物運搬具の載置シートの周縁に被覆シートを取付けた状態を示す平面図である。
【図５】図４に示す荷物運搬具の底面図である。
【図６】（ａ）〜（ｃ）は、本発明の荷物運搬具を用いて重量物を梱包する手順を示す斜視図である。
【図７】本発明の他の実施形態にかかる荷物運搬具を示す平面図である。
【図８】図７に示す荷物運搬具の底面図である。
【符号の説明】
１２　載置シート
１２ａ，１２ｂ，１２ｃ，１２ｄ　辺
１３　ショルダーベルト
１４　ハンドベルト
１５　ハンドベルト
１６ａ，１６ｂ，１６ｃ，１６ｄ　取付け手段
２１，２２，２３，２４　被覆シート
【図１】
2004107049.tif 000003
【図２】
2004107049.tif 000004
【図３】
2004107049.tif 000005
【図４】
2004107049.tif 000006
【図５】
2004107049.tif 000007
【図６】
2004107049.tif 000008
【図７】
2004107049.tif 000009
【図８】
2004107049.tif 000010